Podtech/llm-jp-corpus-v4-ja_patent huggingface dataset:
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
次亜塩素酸と、アルカリまたはアルカリ土類金属の重炭酸塩または炭酸塩の形態の安定量の溶解無機炭素（DIC）とを含む、容器内の安定化溶液またはその製剤であって、
前記溶液または製剤が、約１０〜約１０，０００ｐｐｍの遊離有効塩素（AFC）含量、、約４．０〜約７．５のｐＨ、５：１以下のＡＦＣに対するＤＩＣの比を有し、
前記容器が、ＣＯ２またはＯ２を透過しない、安定化溶液またはその製剤。
【請求項２】
前記ＡＦＣ含量および前記ｐＨが少なくとも６ヶ月間安定である、請求項１に記載の安定化溶液または製剤。
【請求項３】
前記ＡＦＣ含量が約１００〜約１０００ｐｐｍである、請求項１または２に記載の安定化溶液または製剤。
【請求項４】
前記ＡＦＣ含量が約１００〜約５００ｐｐｍである、請求項３に記載の安定化溶液または製剤。
【請求項５】
前記ｐＨが約４〜約７である、請求項１から４に記載の安定化溶液または製剤。
【請求項６】
前記ｐＨが約５〜約７である、請求項５に記載の安定化溶液または製剤。
【請求項７】
前記ＤＩＣが重炭酸ナトリウムとして添加される、請求項１から６のいずれか一項に記載の安定化溶液または製剤。
【請求項８】
ＡＦＣに対する重炭酸ナトリウムの量の比が少なくとも１：２である、請求項７に記載の安定化溶液または製剤。
【請求項９】
重炭酸ナトリウムの量が、前記ＡＦＣ含量と約等モルである、請求項８に記載の安定化溶液または製剤。
【請求項１０】
前記次亜塩素酸が、ＮａＣｌ溶液の電気分解により調製される、請求項１から９のいずれか一項に記載の安定化溶液または製剤。
【請求項１１】
前記重炭酸ナトリウムがＮａＣｌ電解質中に含有され、電気分解後に添加される、請求項１０に記載の安定化溶液または製剤。
【請求項１２】
約０．０１〜約１．０％の塩分を有する、請求項１から１１のいずれか一項に記載の安定化溶液または製剤。
【請求項１３】
前記溶液または製剤が、ゲル剤、クリーム剤、またはフォーム剤として製剤化される、請求項１から１２のいずれか一項に記載の安定化溶液または製剤。
【請求項１４】
前記溶液または製剤が、ヒドロゲル剤として製剤化される、請求項１３に記載の安定化溶液または製剤。
【請求項１５】
前記容器が、瓶、袋、管、または缶である、請求項１から１４のいずれか一項に記載の安定化溶液または製剤。
【請求項１６】
請求項１から１５のいずれか一項に記載の安定化溶液または製剤を調製するための方法であって、
前記溶液または製剤を少なくとも６ヶ月間安定化させるのに十分な量で、前記ＤＩＣを前記溶液または製剤に組み込むステップ
を含む方法。
【請求項１７】
前記重炭酸塩または炭酸塩が前記ＮａＣｌ電解質中に組み込まれ、電気分解された溶液に添加される、請求項１６に記載の方法。
【請求項１８】
哺乳動物組織を消毒または清浄化するための方法であって、請求項１から１５のいずれか一項に記載の安定化溶液または製剤を、前記哺乳動物組織に適用するステップを含む方法。
【請求項１９】
前記安定化溶液または製剤が、アトピー性皮膚炎を有する哺乳動物の患部に適用される、請求項１８に記載の方法。
【請求項２０】
前記安定化溶液または製剤が、ヒドロゲル剤として適用される、請求項１８または１９に記載の方法。
【請求項２１】
硬質表面を消毒または清浄化するための方法であって、請求項１から１５のいずれか一項に記載の安定化溶液または製剤を前記硬質表面に適用するステップを含む方法。
【請求項２２】
食品を処理する方法であって、請求項１から１５のいずれか一項に記載の安定化溶液または製剤を前記食品に適用するステップを含む方法。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
幹細胞美容剤の処理及び製造のためのビジネスモデルにおいて、
ａ．幹細胞ベースの生物学的材料を指定するステップと、
ｂ．前記幹細胞ベースの生物学的材料の収集、処理、及び輸送に関する所定のサービスに対する報酬を収集するステップと、
ｃ．前記幹細胞ベースの生物学的材料を得るステップと、
ｄ．少なくとも１つの生物学的生成物を生成するために、前記幹細胞ベースの生物学的材料を処理するステップと、
ｅ．品質制御のために、前記少なくとも１つの生物学的生成物を試験するステップと、
ｆ．特定の美容製品のためのビヒクル配合物を調製するステップと、
ｇ．特定の美容製品を得るために、前記少なくとも１つの生物学的生成物を、特定の美容製品のための前記ビヒクル配合物と配合させるステップと
を含むことを特徴とするビジネスモデル。
【請求項２】
請求項１に記載のビジネスモデルにおいて、前記少なくとも１つの生物学的生成物を低温保存するステップを含むことを特徴とするビジネスモデル。
【請求項３】
請求項１または２に記載のビジネスモデルにおいて、更に、前記特定の美容製品を使用してサービス提供者が美容処置をコーディネートするステップを含むことを特徴とするビジネスモデル。
【請求項４】
請求項３に記載のビジネスモデルにおいて、前記少なくとも１つの生物学的生成物から前記特定の美容製品を得るために、クライアントからの再注文後に、ステップｄ、ｅ、ｆ、及びｇを繰り返すことができることを特徴とするビジネスモデル。
【請求項５】
請求項４に記載のビジネスモデルにおいて、前記ビヒクル配合物が、身体の所定の部位のために配合されることを特徴とするビジネスモデル。
【請求項６】
請求項５に記載のビジネスモデルにおいて、前記特定の美容製品が自己のものであることを特徴とするビジネスモデル。
【請求項７】
生物学的試料の収集、低温保存、及び分配のためのビジネスモデルにおいて、
ａ．生物学的試料の収集、輸送、処理、低温保管、及び分配に関する所定のサービスに対する報酬を収集するステップと、
ｂ．前記生物学的試料の前記収集を手配するステップにおいて、（ｉ）前記生物学的試料の収集のために行われるサービスに対する援助として所定の料金を支払い、（ｉｉ）前記生物学的試料の収集及び輸送用の複数の構成要素を備える収集システムを供給することを含むステップと、
ｃ．前記生物学的試料を得るステップと、
ｄ．前記収集システム内の前記生物学的試料を処理設備に輸送するステップと、
ｅ．前記収集システム構成要素からの情報をデータベースの処理モジュールに導入するステップと、
ｆ．前記生物学的試料を処理するステップにおいて、前記生物学的試料が消化されて分離され、隔離された材料を生成するステップと、
ｇ．前記隔離された材料の品質制御のために試験するステップと、
ｈ．前記少なくとも１つの隔離された材料を成長させるために、前記隔離された材料の少なくとも一部を、特定の美容製品のために設計された培地と組み合わせるステップと、
ｉ．特定の美容製品のためのビヒクル配合物を調製するステップと、
ｊ．特定の美容製品を得るために、前記隔離された材料の少なくとも一部を、特定の美容製品のためのビヒクル配合物と配合させるステップと
を含むことを特徴とするビジネスモデル。
【請求項８】
自己美容剤用組成物を調製するための方法において、
ａ．クライアントから生物学的試料を得るステップと、
ｂ．所定の分離生成物を得るために、前記生物学的試料を分離するステップと、
ｃ．前記所定の分離生成物を成長培地と組み合わせて、コンフルエントに達するまで成長した幹細胞を得るステップと、
ｄ．コンフルエントに達するまで成長した前記幹細胞を隔離するステップと、
ｅ．活性物質を得るために、前記隔離された幹細胞を非成長培地と組み合わせるステップと、
ｆ．前記活性物質を隔離するステップと、
ｇ．前記活性物質を美容剤用配合物と配合させるステップと
を含むことを特徴とする方法。
【請求項９】
請求項８に記載の方法において、前記増殖因子が液体増殖因子であることを特徴とする方法。
【請求項１０】
請求項９に記載の方法において、前記生物学的試料が脂肪組織であることを特徴とする方法。
【請求項１１】
請求項１０に記載の方法において、前記脂肪組織が吸引によって抽出されることを特徴とする方法。
【請求項１２】
請求項１１に記載の方法において、前記所定の分離生成物が間質血管細胞群であることを特徴とする方法。
【請求項１３】
請求項１２に記載の方法において、前記間質血管細胞群を成長培地と組み合わせて、コンフルエントに達するまで幹細胞を成長させることを特徴とする方法。
【請求項１４】
請求項１３に記載の方法において、前記幹細胞を隔離し、非成長培地と組み合わせて、前記幹細胞からのサイトカインの分泌を可能にして前記活性物質を生成することを特徴とする方法。
【請求項１５】
請求項１４に記載の方法において、前記脂肪組織の分離が、酵素消化によって実現されることを特徴とする方法。
【請求項１６】
請求項１５に記載の方法において、前記活性物質を、（ｉ）６．０〜８．０の間のｐＨを有し、（ｉｉ）プロテアーゼを含まず、かつ（ｉｉｉ）無菌である美容剤用配合物と配合させることを特徴とする方法。
【請求項１７】
請求項１６に記載の方法において、前記成長培地が、種に特有の培地であることを特徴とする方法。
【請求項１８】
請求項１７に記載の方法において、ステップｇでの前記生物学的試料と成長培地の組合せが、更に、前記活性物質を生成するためにトロポエラスチンを組み合わせるステップを含むことを特徴とする方法。
【請求項１９】
自己美容製品において、請求項１８に記載の方法によって生成されることを特徴とする自己美容製品。
【請求項２０】
民族的幹細胞ベースの美容製品を調製するための方法において、
ａ．所定の民族性の提供者から生物学的試料を得るステップと、
ｂ．活性物質を得るために前記生物学的試料を処理するステップと、
ｃ．前記活性物質を美容剤用配合物と配合させるステップと
を含むことを特徴とする方法。
【請求項２１】
請求項２０に記載の方法において、前記美容剤用配合物が、民族的グループの所定の所望の特性のための活性成分を含有することを特徴とする方法。
【請求項２２】
請求項２１に記載の方法において、前記生物学的試料を処理するステップが、
ａ．所定の分離生成物を得るために、前記生物学的試料を分離するステップと、
ｂ．前記所定の分離生成物を成長培地と組み合わせて、コンフルエントに達するまで成長した幹細胞を得るステップと、
ｃ．コンフルエントに達するまで成長した前記幹細胞を隔離するステップと、
ｄ．活性物質を得るために、前記隔離された幹細胞を培地と組み合わせるステップと、
ｅ．前記活性物質を隔離するステップと
を含むことを特徴とする方法。
【請求項２３】
請求項２２に記載の民族的幹細胞ベースの美容剤。
【請求項２４】
請求項２３に記載の方法において、前記培地が非成長培地であることを特徴とする方法。
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
ＤＲ３とＴＬ１Ａとの間の相互作用を遮断する薬剤を含んでなる、炎症性又は自己免疫性疾病を治療するための医薬組成物。
【請求項２】
前記ＤＲ３とＴＬ１Ａとの間の相互作用が、ＤＲ３および／またはＴＬ１Ａの内因性レベルを減少させることによって遮断される、請求項１に記載の組成物。
【請求項３】
前記薬剤が、ＤＲ３  Ｆｃ融合タンパク質、抗ＤＲ３抗体、抗ＴＬ１Ａ抗体、およびＤＲ３プレリガンドアセンブリードメイン（ＰＬＡＤ）を含んでなるペプチドから選択される１つまたはそれ以上である、請求項１に記載の組成物。
【請求項４】
前記ペプチドが、配列Ｒ１−ＤＲ３  ＰＬＡＤ−Ｒ２を有し、ここで、ＤＲ３ ＰＬＡＤは、配列番号：２のアミノ酸４３−５８を含んでなり、そしてここで、Ｒ１及びＲ２が、所望によりＨ、アシル、ＮＨ２、アミノ酸又はペプチドである、請求項３に記載の組成物。
【請求項５】
前記炎症性又は自己免疫性疾病が、喘息、多発性硬化症、リウマチ様関節炎、炎症性腸疾患、１型糖尿病、移植片対宿主病、またはＴ細胞の成分による自己免疫性疾病である、請求項１に記載の組成物。
【請求項６】
抗炎症剤を同定するための方法であって、前記方法の工程が、
（ａ）ＤＲ３及びＴＬ１Ａを含んでなる試料を用意し、
（ｂ）試料を、候補薬剤と接触させ、
（ｃ）ＤＲ３／ＴＬ１Ａ結合のレベルを検出し、
（ｄ）結合レベルを対照と比較すること
を含んでなり、対照と比較したＤＲ３／ＴＬ１Ａ結合における減少が抗炎症剤を同定する、前記方法。
【請求項７】
ＴＬ１Ａに特異的に結合するモノクローナル抗体。
【請求項８】
ヒトＴＬ１Ａ及びマウスＴＬ１Ａからなる群に特異的に結合する、請求項７に記載のモノクローナル抗体。
【請求項９】
前記モノクローナル抗体がヒト化されている、請求項７又は８に記載のモノクローナル抗体。
【請求項１０】
前記モノクローナル抗体がヒト化されており、ここで、前記抗体が、一つのアミノ酸配列を含んでなるヒト化重鎖可変領域、及び一つのアミノ酸配列を含んでなるヒト化軽鎖可変領域を含んでなる、請求項８又は９に記載のモノクローナル抗体。
【請求項１１】
前記抗体が、抗ヒトＴＬ１Ａクローン１Ａ９、抗ヒトＴＬ１Ａクローン１Ｃ６、抗マウスＴＬ１Ａクローン１２Ｂ１２．６、または抗マウスＴＬ１Ａクローン５Ｇ４．６である、請求項７に記載のモノクローナル抗体。
【請求項１２】
前記抗ＴＬ１Ａ抗体が、クローン１Ａ９及びクローン１Ｃ６からなる群から選択される、請求項３に記載の組成物。
【手続補正書】
【提出日】平成27年1月30日(2015.1.30)
【手続補正１】
【補正対象書類名】特許請求の範囲
【補正対象項目名】請求項２
【補正方法】変更
【補正の内容】
【請求項２】
５．  前記水性部分の蒸留による後処理の塔底部からの水をフラッシュ蒸発に供し、且つ、生じる精製水をイソホロンの製造工程に返送することを特徴とする、請求項１に記載のイソホロンの製造方法。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
配列番号:22として示されるアミノ酸配列を含むMCAMの免疫グロブリンドメインに結合する、単離された抗MCAM抗体又はその抗原結合断片。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
神経変性障害及び／又は認知能力喪失の予防又は治療に使用するための、焙煎チコリ根を含む組成物。
【請求項２】
チコリが、抽出物の形態で供給される、請求項１に記載の組成物。
【請求項３】
前記抽出物が、チコリの酢酸エチル又はエタノール／水抽出により得られる、請求項２に記載の組成物。
【請求項４】
神経変性障害が、アルツハイマー病、パーキンソン病、ハンチントン病、認知症又はてんかんである、請求項１〜３のいずれか一項に記載の組成物。
【請求項５】
認知能力喪失が、記憶、注意力、言語、推理能力の喪失及び／又は認知機能障害である、請求項１〜４のいずれか一項に記載の組成物。
【請求項６】
医薬、食品又は食品への添加剤である、請求項１〜５のいずれか一項に記載の組成物。
【請求項７】
ヒトによる消費を対象とする、請求項１〜６のいずれか一項に記載の組成物。
【請求項８】
前記ヒトが成人である、請求項７に記載の組成物。
【請求項９】
動物による消費を対象とする、請求項１〜６のいずれか一項に記載の組成物。
【請求項１０】
前記動物がネコ又はイヌである、請求項９に記載の組成物。
【請求項１１】
長期間にわたる消費計画を対象とする、請求項１〜１０のいずれか一項に記載の組成物。
【請求項１２】
数年にわたる消費計画を対象とする、請求項１〜１０のいずれか一項に記載の組成物。
【請求項１３】
個体の精神的能力又は認知能力を維持するための非治療的な方法であって、前記個体に、焙煎チコリ根を含む組成物を投与するステップを含む、方法。
【請求項１４】
精神的能力又は認知能力が、精神的な集中、持続的な注意力、記憶の保持、精神の覚醒、学習能力、実行機能、推理能力、気分、及びストレス耐性からなる群より選択される、請求項１３に記載の非治療的な方法。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
容器（１１）の一端が前記容器（１１）に対し相対的に第１の方向（Ｒ）に変位可能な閉鎖プランジャー（１２）により閉鎖され、前記容器（１１）の製品室（１４）とは反対側の前記閉鎖プランジャー（１２）に開きばね（１３）が配置され、この開きばねは前記容器（１１）の内壁（１１ａ）と当接して前記閉鎖プランジャー（１２）が前記第１の方向（Ｒ）とは反対の第２の方向（Ｓ）に動くのを阻止するようにしたディスペンサー（１０）において、
前記開きばね（１３）が合成樹脂からなり、その中央部（２０）から、円周上に分布配置された複数のフィンガー（１５）が半径方向に外側に向かって延び、
各フィンガー（１５）が半径方向内側端で前記中央部（２０）とヒンジ結合され、半径方向外側端で前記容器（１１）の内壁（１１ａ）と当接し、
前記中央部（２０）および前記フィンガー（１５）は互いに一体形成され、各フィンガー（１５）はウェブ（１７）を介して前記中央部（２０）と結合され、
前記ウェブ（１７）の範囲に切り欠き（１６）が形成されることを特徴とするディスペンサー。
【請求項２】
前記切り欠き（１６）内に、復帰ばねとして作用する充填材（１９）が入れられることを特徴とする請求項１記載のディスペンサー。
【請求項３】
前記充填材（１９）がエラストマー樹脂であることを特徴とする請求項２記載のディスペンサー。
【請求項４】
隣接する前記フィンガー（１５）が膜（２２）を介して互いに結合されることを特徴とする請求項１から３の１つに記載のディスペンサー。
【請求項５】
前記膜（２２）がエラストマー樹脂からなることを特徴とする請求項４記載のディスペンサー。
【請求項６】
前記フィンガー（１５）の半径方向外側端が刃状に形成されることを特徴とする請求項１から５の１つに記載のディスペンサー。
【請求項７】
前記フィンガー（１５）の半径方向外側端に保持爪（２１）が設けられることを特徴とする請求項１から６の１つに記載のディスペンサー。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
インビボでの遺伝子の発現を阻害するための組成物であって、キトサン及び前記遺伝子に対するＲＮＡｉ誘導性核酸配列を含み、前記キトサンは５ｋＤａ〜２００ｋＤａの分子量（Ｍｎ）、８０％〜９５％の脱アセチル化度（ＤＤＡ）を有し、前記キトサンのアミンと前記核酸のリン酸との比率（Ｎ：Ｐ）は２０未満である、組成物。
【請求項２】
請求項１に記載の組成物であって、前記キトサンの分子量は５〜１５ｋＤａ、ＤＤＡは９０〜９５％、及びＮ：Ｐ比は２〜１０である、組成物。
【請求項３】
請求項１又は２に記載の組成物であって、前記キトサンの分子量は１０ｋＤａ、ＤＤＡは９２％、及びＮ：Ｐ比は５である、組成物。
【請求項４】
請求項１に記載の組成物であって、前記キトサンの分子量は１０ｋＤａ、４０ｋＤａ、８０ｋＤａ、１５０ｋＤａ、又は２００ｋＤａである、組成物。
【請求項５】
請求項１〜４のうちいずれか一項に記載の組成物であって、前記キトサンはアセチル基のブロック分布又は化学修飾を含む、組成物。
【請求項６】
請求項１〜５のうちいずれか一項に記載の組成物であって、前記キトサンは１．０〜７．０の間の多分散性を有する、組成物。
【請求項７】
請求項１〜６のうちいずれか一項に記載の組成物であって、前記ＲＮＡｉ誘導性核酸配列は、ヌクレオチドが１０〜５０個の間の二本鎖線状デオキシリボ核酸又はリボ核酸の配列である、組成物。
【請求項８】
請求項１〜７のうちいずれか一項に記載の組成物であって、前記ＲＮＡｉ誘導性核酸配列は、デオキシリボ核酸又はリボ核酸の配列のヘアピン構造である、組成物。
【請求項９】
請求項１〜８のうちいずれか一項に記載の組成物であって、前記ＲＮＡｉ誘導性核酸配列は、糖骨格、リン酸骨格、及び／又はヌクレオチド塩基環のいずれかにおいて化学的に修飾されている、組成物。
【請求項１０】
請求項１〜９のうちいずれか一項に記載の組成物であって、前記ＲＮＡｉ誘導性核酸配列は、低分子干渉ＲＮＡ、低分子ヘアピンＲＮＡ、又はＲＮＡｉ誘導ベクターである、組成物。
【請求項１１】
請求項１〜１０のうちいずれか一項に記載の組成物であって、前記ＲＮＡｉ誘導性核酸配列は、ＩＩ型糖尿病、アテローム性動脈硬化症、又は癌の病因に関与する遺伝子を標的とする、組成物。
【請求項１２】
請求項１〜１０のうちいずれか一項に記載の組成物であって、前記ＲＮＡｉ誘導性核酸配列は、腫瘍の発生、転移、又は化学療法抵抗性の誘導に関与する遺伝子を標的とする、組成物。
【請求項１３】
請求項１〜１１のうちいずれか一項に記載の組成物であって、前記ＲＮＡｉ誘導性核酸配列は糖調節タンパク質を標的とする、組成物。
【請求項１４】
請求項１３に記載の組成物であって、前記糖調節タンパク質はインクレチン分解酵素である、組成物。
【請求項１５】
請求項１３に記載の組成物であって、前記インクレチン分解酵素はジペプチジルペプチダーゼ‐ＩＶ（ＤＰＰ‐ＩＶ）である、組成物。
【請求項１６】
請求項１〜１１のうちいずれか一項に記載の組成物であって、前記ＲＮＡｉ誘導性核酸配列はアテローム生成タンパク質を標的とする、組成物。
【請求項１７】
請求項１６に記載の組成物であって、前記アテローム生成タンパク質は、アポリポタンパク質Ｂ（ＡｐｏＢ）、アポリポタンパク質Ｅ（ＡｐｏＥ）、アポリポタンパク質Ｂ１００（ＡｐｏＢ１００）、アポリポタンパク質Ｂ４８（ＡｐｏＢ４８）、好中球ゼラチナーゼ関連リポカリン（ＮＧＡＬ）、マトリックスメタロプロテアーゼ‐９（ＭＭＰ‐９）、又はコレステロールエステル転送タンパク質（ＣＥＴＰ）である、組成物。
【請求項１８】
請求項１〜１２のうちいずれか一項に記載の組成物であって、前記ＲＮＡｉ誘導性核酸配列は、ヘリカーゼタンパク質、ＲＮＡヘリカーゼ、Ｐ６８、ＤＤＸ５、ＤＤＸ３２、ＤＤＸ１、Ａｋｔ、ＰＫＢ、ＡＢＣ輸送体のメンバー、ＭＤＲ１、ＭＲＰ、ＲＡＳタンパク質ファミリーのメンバー、ＳＲＣ、ＨＥＲ２、ＥＧＦＲ、Ａｂｌ、又はＲａｆを標的とする、組成物。
【請求項１９】
請求項１８に記載の組成物であって、前記ヘリカーゼタンパク質はＲｅｃＱヘリカーゼファミリーのメンバーである、組成物。
【請求項２０】
請求項１８又は１９に記載の組成物であって、前記ヘリカーゼタンパク質はＲｅｃＱＬ１ＤＮＡヘリカーゼである、組成物。
【請求項２１】
請求項１８に記載の組成物であって、前記ＲＮＡｉ誘導性核酸配列はＭＤＲ１を標的とする、組成物。
【請求項２２】
患者における糖尿病及びその関連状態、アテローム性動脈硬化症及びその関連状態、又は癌及びその関連状態を治療するための、請求項１〜２１のうちいずれか一項に記載の組成物。
【請求項２３】
請求項２２に記載の組成物であって、好適な送達剤のうちの少なくとも１つ及び抗癌化合物との同時投与のために製剤化される、組成物。
【請求項２４】
請求項２３に記載の組成物であって、前記好適な送達剤は、Ｍｉｒｕｓ  Ｔｒａｎｓｉｔ  ＴＫＯ（登録商標）親油性試薬、Ｌｉｐｏｆｅｃｔｉｎ（登録商標）、Ｌｉｐｏｆｅｃｔａｍｉｎｅ（登録商標）、Ｃｅｌｌｆｅｃｔｉｎ（登録商標）、ポリカチオン、又はリポソームである、組成物。
【請求項２５】
請求項２２〜２４のうちいずれか一項に記載の組成物であって、好適な抗癌療法の間の同時投与のために製剤化される、組成物。
【請求項２６】
請求項１〜２５のうちいずれか一項に記載の組成物であって、前記組成物は１ｍｇ／ｋｇの用量での注射用に製剤化される、組成物。
【請求項２７】
請求項１〜２６のうちいずれか一項に記載の組成物であって、前記組成物は投与したときに肝臓毒性を誘発しない、組成物。
【請求項２８】
キトサンとＲＮＡｉ誘導性核酸配列とを酸性媒体中で混合することを含む、糖尿病、アテローム性動脈硬化症、又は癌を治療するための組成物を製造する方法であって、前記キトサンは、５ｋＤａ〜２００ｋＤａの分子量（Ｍｎ）、８０％〜９５％の脱アセチル化度（ＤＤＡ）を有し、前記キトサンのアミンと核酸のリン酸との比率（Ｎ：Ｐ）は２０未満である、方法。
【手続補正書】
【提出日】平成27年4月10日(2015.4.10)
【手続補正１】
【補正対象書類名】特許請求の範囲
【補正対象項目名】請求項１８
【補正方法】変更
【補正の内容】
【請求項１８】
以下を含む請求項１〜１７のいずれか１項に記載の構造式ＩＡの化合物を調製する方法であって、
構造式
【化４】
2014518240.tif 000001
の化合物を、構造式
【化５】
2014518240.tif 000002
の化合物と結合させて、構造式
【化６】
2014518240.tif 000003
の化合物を得る、方法であり、
定義は請求項１に記載の通りであり、ＰＧは水素または保護基であり、ｈａｌはハロゲンであり、または
所望により、得られた化合物を薬剤的に許容可能な酸付加塩に変換する、方法。
【手続補正２】
【補正対象書類名】明細書
【補正対象項目名】０１４９
【補正方法】変更
【補正の内容】
【０１４９】
【化３２】
2014518240.tif 000004
ｄ）３−ブロモ−５−クロロ−１，２，４−チアジアゾールおよび３，５−ジクロロ−１，２，４−チアジアゾールＶは市販されており、保護された（ＰＧ＝Ｂｏｃ等）または置換されたピペラジンと簡便に反応させ、チアジアゾール誘導体ＶＩまたはＩＸを得ることができる。
ｅ）チアジアゾール誘導体ＶＩまたはＩＸを適切なボロン酸またはエステル類とパラジウム触媒下で簡便に反応させ、ＩＸの場合は最終の誘導体Ｉを、ＶＩの場合は保護されたチアジアゾール誘導体ＶＩＩを得る。
ｆ）ＶＩＩの脱保護を適切な条件下、ＰＧ＝Ｂｏｃの場合には酸性の条件下で行い、最終のチアジアゾール誘導体Ｉを得るために適切な求電子剤と簡便に反応される遊離ピペラジン誘導体を得る。
【手続補正３】
【補正対象書類名】明細書
【補正対象項目名】０１５０
【補正方法】変更
【補正の内容】
【０１５０】
略語：
ＤＣＭ＝ジクロロメタン、
ＤＡＳＴ＝三フッ化ジエチルアミノ硫黄、
ＤＩＰＥＡ＝Ｎ，Ｎ−ジイソプロピルエチルアミン、
ＤＭＥ＝ジメトキシエタン、
ＥｔＯＨ＝エタノール、
ＥｔＯＡｃ＝酢酸エチル、
ＨＰＬＣ＝高速液体クロマトグラフィー、
ＭｅＣＮ＝アセトニトリル、
ＭｅＯＨ＝メタノール、
ＲＴ＝室温、
ＴＨＦ＝テトラヒドロフラン
本発明の例示的な化合物を表ＩＩに挙げる。
【手続補正４】
【補正対象書類名】明細書
【補正対象項目名】０２３９
【補正方法】変更
【補正の内容】
【０２３９】
実施例８５
１−［３−（３−クロロ−フェニル）−［１，２，４］チアジアゾール−５−イル］−４−［２−（４−フルオロ−フェニル）−エチル］−ピペラジン
【化１１０】
2014518240.tif 000005
１−ベンゾ［１，３］ジオキソール−５−イルメチル−４−（３−ｐ−トリル−［１，２，４］チアジアゾール−５−イル）−ピペラジン（実施例２）の合成に記述された方法と同様にして、表題の化合物を５−クロロ−３−（３−フルオルフェニル）−１，２，４−チアジアゾールおよび１−（４−フルオロフェネチル）ピペラジンジヒドロクロリドから灰白色の固体として調製した。ＭＳ（ｍ／ｅ）：４０３．３（ＭＨ＋）。
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
第１の移動基材の第１の表面上に加熱された第１の流体を衝突させ、前記衝突させた加熱された第１の流体の少なくとも一部分を局所的に除去し、前記第１の移動基材の前記第１の表面を第２の移動基材の第１の表面に結合させる方法であって、
少なくとも１つの第１の流体送達出口と、前記第１の流体送達出口に対して局所的に位置付けられる少なくとも１つの第１の流体捕捉入口とを提供することと、
前記第１の流体送達出口の近くに前記第１の移動基材を通し、前記第１の基材の前記第１の表面が加熱表面となるように、前記第１の移動基材の前記第１の表面上に前記第１の流体送達出口からの加熱された第１の流体を衝突させることと、
前記少なくとも１つの第１の流体捕捉入口によって前記衝突させた第１の流体の体積流量の少なくとも６０％を局所的に捕捉し、前記第１の流体捕捉入口に流体接続される少なくとも１つの第１の流体除去チャネルを通して、前記局所的に捕捉した第１の流体を除去することと、
第２の移動基材の第１の表面を、前記加熱された第１の流体の温度よりも少なくとも摂氏１００度低い温度である第２の流体に接触させることと、
前記第１の基材の前記第１の表面及び前記第２の基材の前記第１の表面が互いに融解結合するように、前記第１の基材の前記加熱された第１の表面を前記第２の基材の前記第１の表面に接触させることと、を含む、方法。
【請求項２】
第１の移動基材の第１の表面上に加熱された第１の流体を衝突させ、前記衝突させた加熱された第１の流体の少なくとも一部分を局所的に除去し、前記第１の移動基材の前記第１の表面を第２の移動基材の第１の表面に結合させるための装置であって、
少なくとも１つの第１の流体送達出口、及び前記第１の流体送達出口に対して局所的に位置付けられる少なくとも１つの第１の流体捕捉入口と、
前記第１の移動基材を支持し、前記第１の流体送達出口から送達される加熱された第１の流体が、前記第１の移動基材の第１の表面上に、それが加熱された第１の表面となるように衝突させられるように、前記第１の流体送達出口の近くに前記第１の移動基材を担持するように構成される第１のバッキング面と、
前記第２の移動基材を支持し、前記第２の移動基材の前記第１の主表面を、前記第１の移動基材の前記加熱された第１の表面と接触させる合流経路に沿って、前記第２の移動基材を担持するように構成される第２のバッキング面と、を備える、装置。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
ヒトＩｇＧ１のＦｃ領域に融合したヒトｐ７５腫瘍壊死因子受容体の細胞外リガンド結合部位である単離されたポリペプチド、
単離されたポリペプチドの凝集を防ぐのに十分な量であり、よって組成物を安定化させる塩、および
水性緩衝液
を含む組成物であって、含有するＬ−アルギニンの濃度が１ｍＭよりも低い、組成物。
【請求項２】
前記組成物が含有するＬ−アルギニンの濃度が０．１、０．０１または０．００１ｍＭよりも低いか、あるいは
前記組成物がＬ−アルギニンを含まない、
請求項１に記載の組成物。
【請求項３】
前記単離されたポリペプチドを約１０ｍｇ／ｍｌから約１００ｍｇ／ｍｌ含む、請求項１または２に記載の組成物。
【請求項４】
前記単離されたポリペプチドがエタネルセプトである、請求項１から３のいずれか一項に記載の組成物。
【請求項５】
前記水性緩衝液が、場合により：
（ａ）リン酸ナトリウム、ヒスチジン、リン酸カリウム、クエン酸ナトリウムまたはクエン酸カリウム、マレイン酸、酢酸アンモニウム、トリス（ヒドロキシメチル）アミノメタン（トリス）、アセテート、ジエタノールアミン、またはこれらの組み合わせである；ならびに／あるいは
（ｂ）約１ｍＭから約１５ｍＭの濃度で存在する；
請求項１に記載の組成物。
【請求項６】
前記塩が塩化ナトリウムである、および／または
前記塩が約１２０ｍＭから約１５０ｍＭの濃度で存在する、
請求項１から５のいずれか一項に記載の組成物。
【請求項７】
前記組成物が更に添加剤を含む、請求項１から６のいずれか一項に記載の組成物であって、前記添加剤が、場合により：
（ａ）スクロース、ラクトース、グリセロール、キシリトール、ソルビトール、マンニトール、マルトース、イノシトール、トレハロース、グルコース、ウシ血清アルブミン（ＢＳＡ）、ヒトＳＡまたは組換え型ＨＡ、デキストラン、ＰＶＡ、ヒドロキシプロピルメチルセルロース（ＨＰＭＣ）、ポリエチレンイミン、ゼラチン、ポリビニルピロリドン（ＰＶＰ）、ヒドロキシエチルセルロース（ＨＥＣ）、ポリエチレングリコール、エチレングリコール、グリセロール、ジメチルスルホキシド（ＤＭＳＯ）、ジメチルホルムアミド（ＤＭＦ）、プロリン、Ｌ−セリン、グルタミン酸ナトリウム、アラニン、グリシン、塩酸リジン、サルコシン、ガンマ−アミノ酪酸、Ｔｗｅｅｎ−２０、Ｔｗｅｅｎ−８０、ＳＤＳ、ポリソルベート、ポリオキシエチレンコポリマー、リン酸カリウム、酢酸ナトリウム、硫酸アンモニウム、硫酸マグネシウム、硫酸ナトリウム、トリメチルアミンＮ―オキサイド、ベタイン、亜鉛イオン、銅イオン、カルシウムイオン、マンガンイオン、マグネシウムイオン、ＣＨＡＰＳ、スクロースモノラウレート、２−Ｏ−ベータ−マンノグリセレート、またはこれらの組み合わせであるか；
（ｂ）スクロースであるか；あるいは  （ｃ）約０．５％から約１．５％の濃度のスクロースである；
請求項１から６のいずれか一項に記載の組成物。
【請求項８】
前記組成物のｐＨが約５．５から約７．８である、請求項１から７のいずれか一項に記載の組成物。
【請求項９】
前記組成物が５０ｍｇ／ｍｌのエタネルセプト、約１０ｍＭのリン酸ナトリウム、約１４０ｍＭの塩化ナトリウム、および約１％のスクロースを含み、組成物のｐＨがｐＨ約６．０からｐＨ約７．０である、請求項１に記載の組成物。
【請求項１０】
前記組成物が少なくとも２４か月の商業的に実現可能な保存可能期間を有する、および／または
前記組成物が皮下投与に適している、および／または
単離されたポリペプチドは精製されている、および／または
前記組成物は滅菌されている、
請求項１から９のいずれか一項に記載の組成物。
【請求項１１】
ヒトＩｇＧ１のＦｃ領域に融合したヒトｐ７５腫瘍壊死因子受容体の細胞外リガンド結合部位である単離されたポリペプチド、
２５ｍＭよりも低い濃度の水性緩衝液、および
１００ｍＭよりも高い濃度の塩、
を含む組成物であって、含有するＬ−アルギニンの濃度が１ｍＭよりも低い、組成物。
【請求項１２】
前記組成物が含有するＬ−アルギニンの濃度が０．１、０．０１または０．００１ｍＭよりも低いか、あるいは
前記組成物がＬ−アルギニンを含まない、
請求項１１に記載の組成物。
【請求項１３】
実質的に、
ヒトＩｇＧ１のＦｃ領域に融合したヒトｐ７５腫瘍壊死因子受容体の細胞外リガンド結合部位である単離されたポリペプチド、
約１０ｍＭの濃度の水性緩衝液、
約１４０ｍＭの濃度の塩、および
スクロース、
から成る組成物。
【請求項１４】
前記単離されたポリペプチドが：
５０ｍｇ／ｍＬの濃度で存在する；および／または
エタネルセプトである；
請求項１３に記載の組成物。
【請求項１５】
個人の治療において使用するための、請求項１から１４のいずれか一項に記載の組成物。
【請求項１６】
前記個人が、
関節リウマチ、乾癬性関節炎、強直性脊椎炎、ウェゲナー病（肉芽腫症）、クローン病（または炎症性腸疾患）、慢性閉塞性肺疾患（ＣＯＰＤ）、Ｃ型肝炎、子宮内膜症、ぜんそく、悪液質、乾癬、アトピー性皮膚炎、
から選ばれる疾患または障害を持つと診断されている、請求項１５に記載の組成物。
【請求項１７】
前記組成物が前記疾患または障害を治療するのに十分な量で個人に投与される、請求項１６に記載の組成物。
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
２つ以上の後成的修飾因子を含む、がんの予防または治療のための医薬製剤であって、１つの後成的修飾因子がフェニル酪酸ナトリウム（ＳＰＢ）を含み、且つ第２の後成的修飾因子がケルセチンを含む、医薬製剤。
【請求項２】
フェニル酪酸ナトリウム（ＳＰＢ）約１．０ｇ〜約１０．０ｇおよびケルセチン約０．５ｇ〜約１．５ｇを含む単位用量である、請求項１に記載の医薬製剤。
【請求項３】
緑茶抽出物をさらに含む、請求項１に記載の医薬製剤。
【請求項４】
緑茶抽出物約１００ｍｇ〜約１．５ｇ、フェニル酪酸ナトリウム（ＳＰＢ）約１．０ｇ〜約１０．０ｇおよびケルセチン約０．５ｇ〜約１．５ｇを含む単位用量である、請求項３に記載の医薬製剤。
【請求項５】
１つ以上の酸化剤または抗酸化剤をさらに含む、請求項１に記載の医薬製剤。
【請求項６】
前記１つ以上の酸化剤または抗酸化剤が、ビタミンＣ、ゲルマニウム、Ｌ−カルニチン、タウリン、グルタチオン、リジン、プロリン、過酸化水素（Ｈ２Ｏ２）、およびジメチルスルホキシド（ＤＭＳＯ）を含む群から選択される、請求項５に記載の医薬製剤。
【請求項７】
１つ以上の薬学的に許容される賦形剤、希釈剤または担体をさらに含む、請求項１に記載の医薬製剤。
【請求項８】
１つ以上の解糖阻害剤をさらに含む、請求項１に記載の医薬製剤。
【請求項９】
前記１つ以上の解糖阻害剤が、ジクロロ酢酸、オクトレオチド、および２−デオキシグルコース（２ＤＧ）を含む群から選択される、請求項８に記載の医薬製剤。
【請求項１０】
ヒトへの静脈内注射に適している、請求項１から９のいずれか１項に記載の医薬製剤。
【請求項１１】
通常生理食塩水およびＤ５生理食塩水のうち少なくとも１つをさらに含む、請求項１０に記載の医薬製剤。
【請求項１２】
２つ以上の後性的修飾因子を含むがん治療のための単位用量の医薬製剤、ここで１つの後成的修飾因子がフェニル酪酸ナトリウム（ＳＰＢ）を含み、且つ第２の後成的修飾因子がケルセチンを含む；および
該単位用量が少なくとも部分的に含まれている容器を含むキット。
【請求項１３】
前記第１後成的修飾因子を含む第１サブ容器と、前記第２後成的修飾因子を含む第２サブ容器とをさらに含む、請求項１２に記載のキット。
【請求項１４】
前記第１後成的修飾因子と前記第２後成的修飾因子とを併用形態で含むサブ容器をさらに含む、請求項１２に記載のキット。
【請求項１５】
単位用量の服薬指導のための記憶を助けるものをさらに含む、請求項１２に記載のキット。
【請求項１６】
前記単位用量の医薬製剤がヒトへの静脈内注射に適している、請求項１２から１５のいずれか１項に記載のキット。
【請求項１７】
哺乳動物におけるがんの予防または治療用医薬製剤を含む薬剤を製造するための２つ以上の後成的修飾因子の使用であって、１つの後成的修飾因子がフェニル酪酸ナトリウム（ＳＰＢ）を含み、且つ第２の後成的修飾因子がケルセチンを含む、使用。
【請求項１８】
前記医薬製剤が、フェニル酪酸ナトリウム（ＳＰＢ）約１．０ｇ〜約１０．０ｇおよびケルセチン約０．５ｇ〜約１．５ｇを含む単位用量である、請求項１７に記載の使用。
【請求項１９】
前記医薬製剤の製造において緑茶抽出物の使用をさらに含む、請求項１７に記載の使用。
【請求項２０】
前記医薬製剤が、緑茶抽出物約１００ｍｇ〜約１．５ｇ、フェニル酪酸ナトリウム（ＳＰＢ）約１．０ｇ〜約１０．０ｇおよびケルセチン約０．５ｇ〜約１．５ｇを含む単位用量である、請求項１９に記載の使用。
【請求項２１】
前記医薬製剤の製造において１つ以上の酸化剤または抗酸化剤の使用をさらに含む、請求項１７に記載の使用。
【請求項２２】
前記１つ以上の酸化剤または抗酸化剤が、ビタミンＣ、ゲルマニウム、Ｌ−カルニチン、タウリン、グルタチオン、リジン、プロリン、過酸化水素（Ｈ２Ｏ２）、およびジメチルスルホキシド（ＤＭＳＯ）を含む群から選択される、請求項２１に記載の使用。
【請求項２３】
前記医薬製剤の製造において１つ以上の薬学的に許容される賦形剤、希釈剤または担体の使用をさらに含む、請求項１７に記載の使用。
【請求項２４】
前記医薬製剤の製造において１つ以上の解糖阻害剤の使用をさらに含む、請求項１７に記載の使用。
【請求項２５】
前記１つ以上の解糖阻害剤が、ジクロロ酢酸、オクトレオチド、および２−デオキシグルコース（２ＤＧ）を含む群から選択される、請求項２４に記載の使用。
【請求項２６】
前記医薬製剤が、ヒトへの静脈内注射に適している、請求項１７から２５のいずれか１項に記載の使用。
【請求項２７】
前記医薬製剤が、通常生理食塩水およびＤ５生理食塩水のうち少なくとも１つをさらに含む、請求項２６に記載の使用。
【請求項２８】
前記哺乳動物が、高圧酸素環境にさらされる、請求項１７から２５のいずれか１項に記載の使用。
【請求項２９】
前記高圧酸素環境が、約９５％酸素を超える気圧を含む、請求項２８に記載の使用。
【請求項３０】
前記のさらすことが、前記薬剤投与の約２４時間以内に生じる、請求項２８に記載の使用。
【請求項３１】
前記のさらすことが、前記薬剤投与の前後の約５分間〜約９０分間の間に生じる、請求項２８に記載の使用。
【請求項３２】
前記のさらすことが、前記薬剤投与の前後の約３０分間〜約３時間の間に生じる、請求項２８に記載の使用。
【請求項３３】
前記医薬製剤が、ヒトへの静脈内注射に適している、請求項２８に記載の使用。
【請求項３４】
前記医薬製剤が、通常生理食塩水およびＤ５生理食塩水のうち少なくとも１つをさらに含む、請求項３３に記載の使用。
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
式
【化１】
2014518280.tif 000001
の化合物；
またはその薬学的に許容される塩。
【請求項２】
ＨＣｌ塩である、請求項１に記載の化合物。
【請求項３】
請求項１に記載の化合物またはその薬学的に許容される塩を、少なくとも１つの薬学的に許容される担体、希釈剤または賦形剤と組み合わせて含む、医薬組成物。
【請求項４】
請求項１に記載の化合物またはその薬学的に許容される塩を含む、不眠症の治療のための医薬組成物。
【請求項５】
前記不眠症が睡眠開始もしくは睡眠維持の困難または両方によって特徴づけられる、請求項４に記載の医薬組成物。
【請求項６】
不眠症の治療のための医薬品の製造における請求項１に記載の化合物またはその薬学的に許容される塩の使用。
【請求項７】
前記不眠症が睡眠開始もしくは睡眠維持の困難または両方によって特徴づけられる、請求項６に記載の使用。
【請求項８】
請求項１に記載の化合物またはその薬学的に許容される塩を、少なくとも１つの薬学的に許容される担体、賦形剤または希釈剤、および選択的セロトニン再取込み阻害剤である他の治療法上の成分と組み合わせて含む、医薬組成物。
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
Ｎ，Ｎ，Ｎ−トリアルキルアミノポリマーの調製方法であって、
ａ）窒素原子と異なる1つ以上の非置換異種原子を有するアミノポリマーを提供することと、
ｂ）Ｎ，Ｎ−ジアルキルアミノポリマーを生成するためにアミノポリマーをアルキル化することであって、実質的にＮ，Ｎ，Ｎ−トリアルキルアミノポリマーが生成されない、アミノポリマーをアルキル化することと、
ｃ）Ｎ，Ｎ−ジアミノポリマーをアルキル化して、Ｎ，Ｎ，Ｎ−トリアルキルアミノポリマーを生成することと、
を含み、
低パーセンテージの非置換異種原子のみがアルキル化される、方法。
【請求項２】
アミノポリマーがアミノ多糖であり、Ｎ，Ｎ−ジアルキルアミノポリマーがＮ，Ｎ−ジアルキルアミノ多糖であり、およびＮ，Ｎ，Ｎ−トリアルキルアミノポリマーがＮ，Ｎ，Ｎ−トリアルキルアミノ多糖である、請求項１に記載の方法。
【請求項３】
アミノ多糖がキトサンであり、Ｎ，Ｎ−ジアルキルアミノ多糖がＮ，Ｎ，Ｎ−ジアルキルキトサンであり、およびＮ，Ｎ，Ｎ−トリアルキルアミノ多糖がＮ，Ｎ，Ｎ−トリアルキルキトサンである、請求項２に記載の方法。
【請求項４】
Ｎ，Ｎ−ジアルキルキトサンが約２．０のＮ置換度（Ｎ−ＤＳ）を有する、請求項３に記載の方法。
【請求項５】
各アルキル基が独立して、任意選択で異種原子を有する飽和または不飽和であって分枝鎖または非分枝鎖であるＣ１〜Ｃ６アルキル基、好ましくはＣ１〜Ｃ３アルキル基、であり、より好ましくはアルキル基が独立して、メチル基またはプロピル基である、請求項１〜４のいずれか１項に記載の方法。
【請求項６】
ステップｂ）が、任意選択で異種原子を有する飽和または不飽和であって分枝鎖または非分枝鎖であるアルデヒド、好ましくはＣ１〜Ｃ６アルデヒド、より好ましくはＣ１〜Ｃ３アルデヒド、最も好ましくはホルムアルデヒドまたはプロパナール、と蟻酸とを用いて実施される、請求項１〜５のいずれか１項に記載の方法。
【請求項７】
ステップｂ）が還元的アミノ化反応である請求項１〜５のいずれか１項に記載の方法。
【請求項８】
ステップｃ)が、反応溶媒中で、好ましくは有機溶媒、水および／またはアルコールを含む反応溶媒中で、アルキル化剤、好ましくはアルキルハロゲン化物またはジアルキル炭酸塩、と塩基とを用いて実施される、請求項１〜７のいずれか１項に記載の方法。
【請求項９】
前記アルキル化剤中のアルキル基が、任意選択で異種原子を有する飽和または不飽和であって分枝鎖または非分枝鎖であるＣ１〜Ｃ６アルキル基、好ましくはＣ１〜Ｃ３アルキル基、であり、より好ましくは前記アルキル化剤中のアルキル基が、メチル基またはプロピル基であり、最も好ましくは前記アルキル化剤が、ヨードメタン、ヨードプロパンまたはジメチルカルボネートである請求項８に記載の方法。
【請求項１０】
前記塩基が水酸化物塩またはアルカリ性炭酸塩または重炭酸塩であり、好ましくは水酸化ナトリウムまたは炭酸ナトリウムである、請求項８または９に記載の方法。
【請求項１１】
前記反応溶媒がＮ，Ｎ−ジメチルホルムアミド（ＤＭＦ）、水、アルコール、ＤＭＦと水の混合物、ＤＭＦとアルコールの混合物、またはアルコールの混合物である、請求項８〜１０のいずれか１項に記載の方法。
【請求項１２】
ステップｂ)およびステップｃ)のうちの少なくとも一方がマイクロ波を用いて実施される、請求項１〜１１のいずれか１項に記載の方法。
【請求項１３】
請求項１〜１２のいずれか１項に記載の方法により生成されるＮ，Ｎ，Ｎ−トリメチルキトサン。
【請求項１４】
約３０％以上、好ましくは約３５％以上、約４０％以上、約４５％以上、約４６％以上、約５０％以上、約５５％以上、約６０％以上、約６５％以上、約７０％以上、約７５％以上、約８０％以上、約８５％以上、約９０％以上、約９５％以上、約９８％以上または約１００％、の第四級化度を有し、および、
約９５％以下、好ましくは約９０％以下、約８５％以下、約８０％以下、約７５％以下、約７０％以下、約６５％以下、約６０％以下、約４５％以下、約４０％以下、約３５％以下、約３０％以下、約２５％以下、約２０％以下、約１５％以下、約１０％以下、約５％以下、約２％以下または約０％、のＯ−置換度を有する、
Ｎ，Ｎ，Ｎ−トリメチルキトサン。
【請求項１５】
約１００％、約９５％以上、約９０％以上、約８５％以上、約８０％以上、約７５％以上、約７０％以上、約６５％以上または約６０％以上、の脱アセチル化度を有する、請求項１４に記載のＮ，Ｎ，Ｎ−トリメチルキトサン。
【誤訳訂正書】
【提出日】平成27年1月29日(2015.1.29)
【誤訳訂正１】
【訂正対象書類名】明細書
【訂正対象項目名】００２１
【訂正方法】変更
【訂正の内容】
【００２１】
別の実施態様において、式 (I)の化合物からの式(II)の化合物又は式 (II’) の化合物の調製（例えば、解離による）は好適な溶媒又は溶媒の混合物の存在下で行なわれる。例えば、このような反応溶媒は極性溶媒もしくは極性溶媒の混合物又は極性溶媒系、例えば、水又は水性媒体である。別の実施態様において、このような反応は溶媒を含まない媒体中で行なわれる。更なる実施態様において、式(II)又は式 (II’) の化合物は好適な溶媒又は溶媒の混合物から単離され、又は得られる。
上記調製の方法は好適な溶媒、又は溶媒の混合物中で行なわれてもよい。こうして得られる、式 (I)、(II)又は (II’) の化合物、或いはそれらの塩はそれ自体通例の様式でこのような溶媒又は溶媒の混合物から単離されてもよい（例えば、結晶形態又は非晶質の形態で）。必要により、式 (I)、(II)又は (II’) の化合物、或いはそれらの塩の精製、クロマトグラフィー分離、スラリー化、懸濁、溶解、結晶化、沈澱（例えば、非溶媒、逆溶媒又は貧溶媒による）、濾過、洗浄、凍結乾燥等は、例えば、一種以上の好適な溶媒又は溶媒の混合物の存在下で行なわれてもよい。続いて、必要により、溶媒又は溶媒の混合物が除去されてもよく（例えば、蒸発されてもよく）、又は、例えば、式 (I)、(II)又は (II’) の化合物、或いはこれらの塩を、例えば、単離形態、純粋な形態、沈澱形態、固体（例えば、結晶性又は非晶質の）形態、凍結乾燥形態等の形態で得るために固体物質が集められてもよく、又は単離されてもよい。このような工程は、必要により、一層低い温度、周囲温度又は高温で行なわれてもよい。必要により、このような操作は繰り返されてもよく、かつ／又は得られた物質に別途適用されてもよい。更に必要により、このような操作は以上の一つ以上の調製工程とは独立に、又は依存して行なわれてもよい。更に必要により、得られた物質が乾燥されてもよい（例えば、高温で）。実施態様において、その物質が噴霧乾燥、凍結乾燥又はドラム乾燥されてもよい。更なる実施態様において、その物質が単離形態、沈澱形態、結晶化形態、凍結乾燥形態、非晶質の形態又は固体形態であってもよい。別の実施態様において、その物質が溶液形態又は懸濁形態であってもよい。更に別の実施態様において、その物質が塩形態又は遊離形態であってもよい。更に別の実施態様において、その物質が粗形態又は精製形態であってもよい。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
maxi-Ｋカリウムチャネルの開口剤を含む、脆弱Ｘ症候群の治療用組成物。
【請求項２】
前記maxi-Ｋカリウムチャネル開口剤がフルオロ-オキシインドール又はクロロ-オキシインドールを含んでなる群より選択される請求項１に記載の組成物。
【請求項３】
前記フルオロ-オキシインドールが以下：(±)-(5-クロロ-2-メトキシフェニル)-1,3-ジヒドロ-3-フルオロ-6-(トリフルオロメチル)-2H-インドール-2-オン；(3S)-(+)-(5-クロロ-2-メトキシフェニル)-1,3-ジヒドロ-3-フルオロ-6-(トリフルオロメチル)-2H-インドール-2-オン及び(3S)-(-)-(5-クロロ-2-メトキシフェニル)-1,3-ジヒドロ-3-フルオロ-6-(トリフルオロメチル)-2H-インドール-2-オンを含んでなる群より選択される、請求項２に記載の組成物。
【請求項４】
前記クロロ-オキシインドールが以下：((±)-(5-クロロ-2-メトキシフェニル)-1,3-ジヒドロ-3-クロロ-6-(トリフルオロメチル)-2H-インドール-2-オン)；(3S)-(+)-(5-クロロ-2-メトキシフェニル)-1,3-ジヒドロ-3-クロロ-6-(トリフルオロメチル)-2H-インドール-2-オン；及び(3R)-(-)-(5-クロロ-2-メトキシフェニル)-1,3-ジヒドロ-3-クロロ-6-(トリフルオロメチル)-2H-インドール-2-オンを含んでなる群より選択される、請求項２に記載の組成物。